(57)【要約】【課題】物品を配置区画毎に管理するための情報を容易に取得することが可能な物品管理装置を提供すること。【解決手段】物品管理装置１は、描画領域における複数の配置区画をそれぞれ表す複数の配置区画情報を受け付け、当該複数の配置区画を描画領域において描画する配置区画情報処理部１０５と、物品を表す物品画像を描画領域内に配置するユーザの操作に基づいて描画領域における当該物品の位置を表す物品位置情報を受け付け、描画領域において当該位置にて当該物品画像を描画する物品位置情報処理部１０７と、当該物品位置情報と当該複数の配置区画情報とに基づいて当該複数の配置区画情報がそれぞれ表す複数の配置区画の中から当該物品位置情報が表す位置を含む配置区画を特定し、当該配置区画と当該物品とが互いに関連付けられた物品配置情報を生成する物品配置情報生成部１０８とを備える。【選択図】図２
2020080009.tif 000002
【特許請求の範囲】
【請求項１】
描画領域における複数の配置区画をそれぞれ表す複数の配置区画情報を受け付け、前記受け付けられた複数の配置区画情報がそれぞれ表す複数の配置区画を前記描画領域において描画する配置区画情報処理部と、
物品を表す物品画像を前記描画領域内に配置するユーザの操作に基づいて、前記描画領域における前記物品の位置を表す物品位置情報を受け付け、前記描画領域において、前記受け付けられた物品位置情報が表す位置にて前記物品画像を描画する物品位置情報処理部と、
前記受け付けられた物品位置情報と、前記受け付けられた複数の配置区画情報と、に基づいて、前記複数の配置区画情報がそれぞれ表す複数の配置区画の中から、前記物品位置情報が表す物品の位置を含む配置区画を特定し、前記特定された配置区画と、前記物品と、が互いに関連付けられた物品配置情報を生成する物品配置情報生成部と、
を備える、物品管理装置。
【請求項２】
請求項１に記載の物品管理装置であって、
少なくとも１つの物品からなる物品群を表す物品群情報を少なくとも１つ記憶する物品群情報記憶部を備え、
前記物品配置情報生成部は、
前記描画領域における物品群区画を表す物品群区画情報を受け付け、
前記受け付けられた物品群区画情報と、前記複数の配置区画情報と、に基づいて、前記複数の配置区画情報がそれぞれ表す複数の配置区画の中から、前記物品群区画情報が表す物品群区画を含む配置区画を特定するとともに、前記記憶されている少なくとも１つの物品群情報がそれぞれ表す少なくとも１つの物品群の中から、前記受け付けられた物品群区画情報に基づいて物品群を選択し、
前記選択された物品群を構成する物品のそれぞれに対して、当該物品と、前記特定された配置区画と、が互いに関連付けられた物品配置情報を生成する、物品管理装置。
【請求項３】
請求項２に記載の物品管理装置であって、
前記物品配置情報生成部は、前記物品群の選択を、前記物品群区画の大きさと、前記物品群を構成する物品の数と、に基づいて行う、物品管理装置。
【請求項４】
請求項２又は請求項３に記載の物品管理装置であって、
前記配置区画情報は、配置区画の属性を表す属性情報を含み、
前記物品配置情報生成部は、前記物品群の選択を、前記特定された配置区画に対する前記属性情報に基づいて行う、物品管理装置。
【請求項５】
請求項２乃至請求項４のいずれか一項に記載の物品管理装置であって、
前記物品配置情報生成部は、
前記記憶されている複数の物品群情報がそれぞれ表す複数の物品群の中から、前記受け付けられた物品群区画情報に基づいて複数の物品群を抽出し、
前記抽出された複数の物品群の中から１つの物品群を選択するユーザの操作に基づいて、前記選択された物品群を表す物品群選択情報を受け付け、
前記抽出された複数の物品群の中から、前記受け付けられた物品群選択情報が表す物品群を選択する、物品管理装置。
【請求項６】
請求項５に記載の物品管理装置であって、
前記物品群情報は、当該物品群情報が表す物品群が選択された頻度である選択頻度を含み、
前記物品配置情報生成部は、
前記抽出された複数の物品群をそれぞれ特定する複数の特定情報を、前記選択頻度が多いほど、前記物品群区画に近くなるように表示し、
前記表示された複数の特定情報に基づいて、前記操作を前記ユーザに行わせる、物品管理装置。
【請求項７】
請求項１乃至請求項６のいずれか一項に記載の物品管理装置であって、
前記物品配置情報生成部は、
前記描画された少なくとも１つの物品画像を選択するとともに、前記選択された少なくとも１つの物品画像の前記描画領域における配置先の位置を指定するユーザの操作に基づいて、前記選択された少なくとも１つの物品画像がそれぞれ表す少なくとも１つの物品を表す物品選択情報と、前記指定された位置を表す位置情報と、を受け付け、
前記受け付けられた位置情報と、前記受け付けられた複数の配置区画情報と、に基づいて、前記複数の配置区画情報がそれぞれ表す複数の配置区画の中から、前記位置情報が表す位置を含む配置区画を特定し、
前記受け付けられた物品選択情報が表す少なくとも１つの物品のそれぞれに対して、当該物品と、前記特定された配置区画と、が互いに関連付けられた物品配置情報を生成する、物品管理装置。
【請求項８】
請求項１乃至請求項７のいずれか一項に記載の物品管理装置であって、
前記配置区画情報処理部は、
前記描画された配置区画を選択するとともに、前記選択された配置区画の前記描画領域における移動先の位置を指定するユーザの操作に基づいて、前記受け付けられた複数の配置区画情報がそれぞれ表す複数の配置区画の中から、当該選択された配置区画を特定する特定情報と、前記指定された位置を表す位置情報と、を受け付け、
前記物品位置情報処理部は、
前記受け付けられた特定情報により特定される配置区画と、前記生成された物品配置情報にて関連付けられた少なくとも１つの物品のそれぞれに対して、前記描画領域において、前記受け付けられた位置情報が表す位置に対応する位置にて当該物品を表す物品画像を描画する、物品管理装置。
【請求項９】
請求項１乃至請求項８のいずれか一項に記載の物品管理装置であって、
前記生成された複数の物品配置情報を記憶するとともに、前記記憶されている複数の物品配置情報のうちの少なくとも一部の物品配置情報を互いに関連付けるグループ情報を少なくとも１つ記憶する物品配置情報記憶部を備え、
前記物品配置情報生成部は、
前記描画された物品画像を選択するとともに、前記選択された物品画像の前記描画領域における移動先の位置を指定するユーザの操作に基づいて、前記記憶されている複数の物品配置情報の中から、当該物品画像に対応する物品配置情報を特定する特定情報と、前記指定された位置を表す位置情報と、を受け付け、
前記受け付けられた位置情報と、前記受け付けられた複数の配置区画情報と、に基づいて、前記複数の配置区画情報がそれぞれ表す複数の配置区画の中から、前記位置情報が表す位置を含む配置区画を特定し、
前記受け付けられた特定情報により特定される物品配置情報が、前記記憶されているグループ情報にて他の物品配置情報と関連付けられている場合、前記記憶されている複数の物品配置情報のうちの、当該他の物品配置情報のそれぞれにて物品と関連付けられる配置区画を、前記特定された配置区画に更新する、物品管理装置。
【請求項１０】
コンピュータに、
描画領域における複数の配置区画をそれぞれ表す複数の配置区画情報を受け付け、前記受け付けられた複数の配置区画情報がそれぞれ表す複数の配置区画を前記描画領域において描画し、
物品を表す物品画像を前記描画領域内に配置するユーザの操作に基づいて、前記描画領域における前記物品の位置を表す物品位置情報を受け付け、前記描画領域において、前記受け付けられた物品位置情報が表す位置にて前記物品画像を描画し、
前記受け付けられた物品位置情報と、前記受け付けられた複数の配置区画情報と、に基づいて、前記複数の配置区画情報がそれぞれ表す複数の配置区画の中から、前記物品位置情報が表す物品の位置を含む配置区画を特定し、前記特定された配置区画と、前記物品と、が互いに関連付けられた物品配置情報を生成する、
処理を実行させる物品管理プログラム。
【発明の詳細な説明】
【技術分野】
【０００１】
本発明は、物品管理装置、及び、物品管理プログラムに関する。
【背景技術】
【０００２】
建物内のフロアに配置された複数の物品を管理するための情報を生成する物品管理装置が知られている。例えば、特許文献１に記載の物品管理装置は、物品を表す物品画像を描画領域内に配置するユーザの操作に基づいて、物品毎に当該物品が配置された位置を表す物品配置情報を生成する。
【先行技術文献】
【特許文献】
【０００３】
【特許文献１】特開２００７−１０９２１３号公報
【発明の概要】
【発明が解決しようとする課題】
【０００４】
ところで、大型の施設（例えば、病院、又は、商業施設等）においては、物品が配置される配置区画（例えば、部屋等）は、１つのフロアに比較的多く存在する。この場合、物品の管理が配置区画毎に行われることが多い。しかしながら、上記物品管理装置においては、物品を配置区画毎に管理するための情報を容易に取得できない、という課題があった。
【０００５】
本発明の目的の一つは、物品を配置区画毎に管理するための情報を容易に取得することである。
【課題を解決するための手段】
【０００６】
一つの側面では、物品管理装置は、
描画領域における複数の配置区画をそれぞれ表す複数の配置区画情報を受け付け、上記受け付けられた複数の配置区画情報がそれぞれ表す複数の配置区画を上記描画領域において描画する配置区画情報処理部と、
物品を表す物品画像を上記描画領域内に配置するユーザの操作に基づいて、上記描画領域における上記物品の位置を表す物品位置情報を受け付け、上記描画領域において、上記受け付けられた物品位置情報が表す位置にて上記物品画像を描画する物品位置情報処理部と、
上記受け付けられた物品位置情報と、上記受け付けられた複数の配置区画情報と、に基づいて、上記複数の配置区画情報がそれぞれ表す複数の配置区画の中から、上記物品位置情報が表す物品の位置を含む配置区画を特定し、上記特定された配置区画と、上記物品と、が互いに関連付けられた物品配置情報を生成する物品配置情報生成部と、
を備える。
【０００７】
他の一つの側面では、物品管理プログラムは、
コンピュータに、
描画領域における複数の配置区画をそれぞれ表す複数の配置区画情報を受け付け、上記受け付けられた複数の配置区画情報がそれぞれ表す複数の配置区画を上記描画領域において描画し、
物品を表す物品画像を上記描画領域内に配置するユーザの操作に基づいて、上記描画領域における上記物品の位置を表す物品位置情報を受け付け、上記描画領域において、上記受け付けられた物品位置情報が表す位置にて上記物品画像を描画し、
上記受け付けられた物品位置情報と、上記受け付けられた複数の配置区画情報と、に基づいて、上記複数の配置区画情報がそれぞれ表す複数の配置区画の中から、上記物品位置情報が表す物品の位置を含む配置区画を特定し、上記特定された配置区画と、上記物品と、が互いに関連付けられた物品配置情報を生成する、処理を実行させる。
【発明の効果】
【０００８】
物品を配置区画毎に管理するための情報を容易に取得できる。
【図面の簡単な説明】
【０００９】
【図１】第１実施形態の物品管理装置の構成を表すブロック図である。
【図２】第１実施形態の物品管理装置の機能を表すブロック図である。
【図３】第１実施形態の物品管理装置が記憶する物品情報の一例を表す表である。
【図４】第１実施形態の物品管理装置が出力する画像の一例を表す説明図である。
【図５】第１実施形態の物品管理装置が出力する画像の一例を表す説明図である。
【図６】第１実施形態の物品管理装置が記憶する配置区画情報の一例を表す表である。
【図７】第１実施形態の物品管理装置が記憶するブロック情報の一例を表す表である。
【図８】第１実施形態の物品管理装置が生成する物品配置情報の一例を表す表である。
【図９】第１実施形態の物品管理装置が出力する出力情報の一例を表す表である。
【図１０】第１実施形態の物品管理装置が実行する処理を表すフローチャートである。
【図１１】第１実施形態の物品管理装置が実行する処理を表すフローチャートである。
【図１２】第１実施形態の物品管理装置が出力する画像の一例を表す説明図である。
【図１３】第１実施形態の物品管理装置が出力する画像の一例を表す説明図である。
【図１４】第１実施形態の物品管理装置が出力する画像の一例を表す説明図である。
【図１５】第１実施形態の物品管理装置が出力する画像の一例を表す説明図である。
【図１６】第１実施形態の第１変形例の物品管理装置が実行する処理を表すフローチャートである。
【図１７】第１実施形態の第１変形例の物品管理装置が出力する画像の一例を表す説明図である。
【図１８】第１実施形態の第１変形例の物品管理装置が出力する画像の一例を表す説明図である。
【図１９】第１実施形態の第１変形例の物品管理装置が出力する画像の一例を表す説明図である。
【図２０】第１実施形態の第２変形例の物品管理装置の機能を表すブロック図である。
【図２１】第１実施形態の第２変形例の物品管理装置が実行する処理を表すフローチャートである。
【図２２】第１実施形態の第２変形例の物品管理装置が出力する画像の一例を表す説明図である。
【図２３】第１実施形態の第２変形例の物品管理装置が出力する画像の一例を表す説明図である。
【図２４】第１実施形態の第２変形例の物品管理装置が実行する処理を表すフローチャートである。
【図２５】第１実施形態の第２変形例の物品管理装置が出力する画像の一例を表す説明図である。
【図２６】第２実施形態の物品管理装置の機能を表すブロック図である。
【図２７】第２実施形態の物品管理装置が記憶する物品群情報の一例を表す表である。
【図２８】第２実施形態の物品管理装置が実行する処理を表すフローチャートである。
【図２９】第２実施形態の物品管理装置が実行する処理を表すフローチャートである。
【図３０】第２実施形態の物品管理装置が出力する画像の一例を表す説明図である。
【図３１】第２実施形態の物品管理装置が出力する画像の一例を表す説明図である。
【図３２】第２実施形態の物品管理装置が出力する画像の一例を表す説明図である。
【図３３】第２実施形態の第１変形例の物品管理装置が記憶する物品群情報の一例を表す表である。
【図３４】第２実施形態の第１変形例の物品管理装置が出力する画像の一例を表す説明図である。
【図３５】第２実施形態の第２変形例の物品管理装置の機能を表すブロック図である。
【図３６】第２実施形態の第２変形例の物品管理装置が記憶するグループ情報の一例を表す表である。
【図３７】第２実施形態の第２変形例の物品管理装置が実行する処理を表すフローチャートである。
【図３８】第２実施形態の第２変形例の物品管理装置が出力する画像の一例を表す説明図である。
【図３９】第２実施形態の第２変形例の物品管理装置が記憶する物品配置情報の一例を表す表である。
【図４０】第２実施形態の第２変形例の物品管理装置が出力する画像の一例を表す説明図である。
【図４１】第２実施形態の第２変形例の物品管理装置が出力する画像の一例を表す説明図である。
【図４２】第２実施形態の第２変形例の物品管理装置が記憶する物品配置情報の一例を表す表である。
【発明を実施するための形態】
【００１０】
以下、本発明の、物品管理装置、及び、物品管理プログラムに関する各実施形態について図１乃至図４２を参照しながら説明する。
【００１１】
＜第１実施形態＞
（概要）
第１実施形態の物品管理装置は、配置区画情報処理部と、物品位置情報処理部と、物品配置情報生成部と、を備える。
配置区画情報処理部は、描画領域における複数の配置区画をそれぞれ表す複数の配置区画情報を受け付け、受け付けられた複数の配置区画情報がそれぞれ表す複数の配置区画を描画領域において描画する。
物品位置情報処理部は、物品を表す物品画像を描画領域内に配置するユーザの操作に基づいて、描画領域における当該物品の位置を表す物品位置情報を受け付け、描画領域において、受け付けられた物品位置情報が表す位置にて当該物品画像を描画する。
物品配置情報生成部は、受け付けられた物品位置情報と、受け付けられた複数の配置区画情報と、に基づいて、複数の配置区画情報がそれぞれ表す複数の配置区画の中から、当該物品位置情報が表す物品の位置を含む配置区画を特定し、特定された配置区画と、当該物品と、が互いに関連付けられた物品配置情報を生成する。
【００１２】
これによれば、描画領域において複数の配置区画を設けることができる。従って、ユーザが物品画像を配置区画内に配置する操作を行うことにより、物品と配置区画とを互いに関連付けることができる。この結果、物品を配置区画毎に管理するための情報を容易に取得できる。
次に、第１実施形態の物品管理装置について、より詳細に説明する。
【００１３】
（構成）
図１に表されるように、物品管理装置１は、バスＢＵを介して互いに接続された、処理装置１１、記憶装置１２、入力装置１３、及び、出力装置１４を備える。物品管理装置１は、情報処理装置、又は、コンピュータと表されてもよい。例えば、物品管理装置１は、パーソナルコンピュータ、スマートフォン、携帯電話機、タブレット端末、又は、サーバ装置である。また、物品管理装置１は、互いに通信可能に接続された複数の装置により構成されていてもよい。
【００１４】
処理装置１１は、記憶装置１２に記憶されている物品管理プログラムを実行することにより、記憶装置１２、入力装置１３、及び、出力装置１４を制御する。これにより、処理装置１１は、後述する機能を実現する。
【００１５】
本例では、処理装置１１は、ＣＰＵ（Ｃｅｎｔｒａｌ  Ｐｒｏｃｅｓｓｉｎｇ  Ｕｎｉｔ）である。なお、処理装置１１は、ＣＰＵに代えて、又は、ＣＰＵに加えて、ＭＰＵ（Ｍｉｃｒｏ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、又は、ＤＳＰ（Ｄｉｇｉｔａｌ  Ｓｉｇｎａｌ  Ｐｒｏｃｅｓｓｏｒ）を含んでもよい。
【００１６】
本例では、記憶装置１２は、揮発性メモリと不揮発性メモリとを含む。例えば、記憶装置１２は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、半導体メモリ、有機メモリ、ＨＤＤ（Ｈａｒｄ  Ｄｉｓｋ  Ｄｒｉｖｅ）、及び、ＳＳＤ（Ｓｏｌｉｄ  Ｓｔａｔｅ  Ｄｒｉｖｅ）の少なくとも１つを含む。
【００１７】
入力装置１３は、物品管理装置１の外部から情報を入力する。本例では、入力装置１３は、キーボード及びマウスを備える。なお、入力装置１３は、マイクロフォンを備えてもよい。
出力装置１４は、物品管理装置１の外部に情報を出力する。本例では、出力装置１４は、ディスプレイを備える。なお、出力装置１４は、スピーカを備えてもよい。
なお、物品管理装置１は、入力装置１３及び出力装置１４の両方を構成するタッチパネル式のディスプレイを備えてもよい。
【００１８】
（機能）
図２に表されるように、物品管理装置１の機能は、物品情報処理部１０１と、物品情報記憶部１０２と、背景画像処理部１０３と、背景画像記憶部１０４と、配置区画情報処理部１０５と、配置区画情報記憶部１０６と、物品位置情報処理部１０７と、物品配置情報生成部１０８と、物品配置情報記憶部１０９と、を含む。
【００１９】
物品情報処理部１０１は、物品管理装置１のユーザが入力装置１３を介して物品管理装置１に入力する物品情報を受け付ける。
図３に表されるように、物品情報は、互いに関連付けられた、物品ＩＤ、物品名、及び、物品画像を含む。物品ＩＤは、物品を識別するための情報である。物品ＩＤは、物品識別情報と表されてもよい。物品名は、物品の名称を表す情報である。物品画像は、物品を表す画像である。物品画像は、アイコンと表されてもよい。
【００２０】
物品情報記憶部１０２は、物品情報処理部１０１により物品情報が受け付けられる毎に、受け付けられた物品情報を記憶する。
【００２１】
物品情報処理部１０１は、物品情報記憶部１０２に記憶されている物品情報の変更又は削除を受け付ける。
物品情報記憶部１０２は、物品情報処理部１０１により物品情報の変更又は削除が受け付けられた場合、記憶されている物品情報の変更又は削除を行う。
【００２２】
背景画像処理部１０３は、物品管理装置１のユーザが入力装置１３を介して物品管理装置１に入力する背景画像を受け付ける。
本例では、図４に表されるように、物品管理装置１は、描画領域ＤＲを含む画像を出力装置１４を介して出力する。図５に表されるように、背景画像ＢＧは、描画領域ＤＲにおける背景を表す画像である。例えば、背景画像ＢＧは、建物（本例では、病院）のフロアの平面図を表す。
背景画像処理部１０３は、背景画像ＢＧが受け付けられた場合、当該背景画像ＢＧが描画領域ＤＲの背景として描画された画像を出力装置１４を介して出力する。
【００２３】
背景画像記憶部１０４は、背景画像処理部１０３により背景画像ＢＧが受け付けられた場合、当該背景画像ＢＧを記憶する。
【００２４】
背景画像処理部１０３は、背景画像記憶部１０４に記憶されている背景画像の変更又は削除を受け付ける。背景画像処理部１０３は、背景画像の変更が受け付けられた場合、描画領域ＤＲの背景として描画される背景画像ＢＧを当該変更に基づいて更新する。背景画像処理部１０３は、背景画像の削除が受け付けられた場合、描画領域ＤＲの背景として描画される背景画像ＢＧを削除する。
背景画像記憶部１０４は、背景画像処理部１０３により背景画像ＢＧの変更又は削除が受け付けられた場合、記憶されている背景画像ＢＧの変更又は削除を行う。
【００２５】
配置区画情報処理部１０５は、物品管理装置１のユーザが入力装置１３を介して物品管理装置１に入力する配置区画情報及びブロック情報を受け付ける。
配置区画情報は、描画領域ＤＲにおける配置区画を表す情報である。本例では、図６に表されるように、配置区画情報は、互いに関連付けられた、配置区画ＩＤ、配置区画名、配置区画位置、及び、ブロックＩＤを含む。図７に表されるように、ブロック情報は、互いに関連付けられた、ブロックＩＤ、及び、ブロック名を含む。
【００２６】
配置区画ＩＤは、配置区画を識別するための情報である。配置区画ＩＤは、配置区画識別情報と表されてもよい。配置区画名は、配置区画の名称を表す情報である。
【００２７】
配置区画位置は、描画領域ＤＲにおける配置区画の位置及び形状を表す情報である。本例では、配置区画は、長方形である。本例では、配置区画位置は、配置区画の対頂点を構成する２つの頂点のそれぞれの位置を表す情報を含む。
なお、配置区画は、長方形以外の閉曲線（例えば、多角形、円形、又は、楕円形等）であってもよい。この場合、配置区画位置は、閉曲線を構成する複数の頂点のそれぞれの位置を表す情報を含んでいてもよい。
【００２８】
ブロックＩＤは、ブロックを識別するための情報である。ブロックＩＤは、ブロック識別情報と表されてもよい。ブロック名は、ブロックの名称を表す情報である。
【００２９】
配置区画情報処理部１０５は、受け付けられた配置区画情報が表す配置区画が描画領域ＤＲにおいて描画された画像を出力装置１４を介して出力する。本例では、配置区画情報処理部１０５は、複数の配置区画情報が受け付けられた場合、受け付けられた複数の配置区画情報がそれぞれ表す複数の配置区画が描画領域ＤＲにおいて描画された画像を出力装置１４を介して出力する。
【００３０】
配置区画情報記憶部１０６は、配置区画情報処理部１０５により配置区画情報又はブロック情報が受け付けられる毎に、受け付けられた配置区画情報又はブロック情報を記憶する。
【００３１】
配置区画情報処理部１０５は、配置区画情報記憶部１０６に記憶されている配置区画情報の変更又は削除を受け付ける。配置区画情報処理部１０５は、配置区画情報の変更が受け付けられた場合、描画領域ＤＲにおいて描画される配置区画を当該変更に基づいて更新する。配置区画情報処理部１０５は、配置区画情報の削除が受け付けられた場合、描画領域ＤＲにおいて描画される配置区画のうちの、当該配置区画情報が表す配置区画を削除する。
配置区画情報記憶部１０６は、配置区画情報処理部１０５により配置区画情報の変更又は削除が受け付けられた場合、記憶されている配置区画情報の変更又は削除を行う。
【００３２】
物品位置情報処理部１０７は、物品管理装置１のユーザが入力装置１３を介して物品管理装置１に入力する物品位置情報を受け付ける。
物品位置情報は、描画領域ＤＲにおける物品の位置を表す情報である。本例では、物品位置情報は、互いに関連付けられた、物品ＩＤ、及び、物品位置を含む。物品位置は、描画領域ＤＲにおける物品画像の位置を表す情報である。本例では、物品位置は、物品画像における基準点の、描画領域ＤＲにおける位置を表す情報を含む。本例では、物品画像は、長方形である。本例では、基準点は、物品画像の左上の頂点である。なお、基準点は、物品画像の左上の頂点以外の頂点であってもよく、物品画像の重心であってもよい。
【００３３】
本例では、物品位置情報は、物品画像を描画領域ＤＲ内に配置するユーザの操作（例えば、ドラッグ・アンド・ドロップと呼ばれる操作）に基づいて入力される。
物品位置情報処理部１０７は、物品位置情報が受け付けられる毎に、描画領域ＤＲにおいて、当該物品位置情報に含まれる物品位置にて、当該物品位置情報に含まれる物品ＩＤと、物品情報記憶部１０２に記憶されている物品情報にて関連付けられた物品画像が描画された画像を出力装置１４を介して出力する。
【００３４】
物品配置情報生成部１０８は、物品位置情報処理部１０７により受け付けられた物品位置情報と、配置区画情報記憶部１０６に記憶されている複数の配置区画情報と、に基づいて、当該複数の配置区画情報がそれぞれ表す複数の配置区画の中から、当該物品位置情報に含まれる物品位置を含む配置区画を特定する。
【００３５】
物品配置情報生成部１０８は、特定された配置区画と、物品位置情報処理部１０７により受け付けられた物品位置情報に含まれる物品ＩＤにより識別される物品と、が互いに関連付けられた物品配置情報を生成する。
図８に表されるように、物品配置情報は、互いに関連付けられた、配置ＩＤ、物品ＩＤ、配置区画ＩＤ、及び、物品位置を含む。配置ＩＤは、物品の配置を識別するための情報である。配置ＩＤは、配置識別情報と表されてもよい。
【００３６】
物品配置情報記憶部１０９は、物品配置情報生成部１０８により生成された物品配置情報を記憶する。
物品配置情報生成部１０８は、物品管理装置１のユーザが入力装置１３を介して物品管理装置１に入力する出力指示を受け付ける。
【００３７】
物品配置情報生成部１０８は、出力指示が受け付けられた場合、物品配置情報記憶部１０９に記憶されている物品配置情報に基づいて、出力情報を出力装置１４を介して出力する。なお、物品配置情報生成部１０８は、出力情報を含むデータファイルを記憶装置１２に記憶させることにより出力情報を出力してもよい。
本例では、図９に表されるように、出力情報は、互いに関連付けられた、配置ＩＤ、物品名、配置区画名、ブロック名、及び、物品位置を含む。
【００３８】
（動作）
次に、物品管理装置１の動作について、図３乃至図１４を参照しながら説明する。
処理装置１１は、図１０に表される処理を実行する。
具体的には、処理装置１１は、物品設定処理を実行する（ステップＳ１０１）。
物品設定処理において、処理装置１１は、物品管理装置１のユーザにより入力された物品情報を受け付け、物品情報が受け付けられる毎に、受け付けられた物品情報を記憶装置１２に記憶させる。これにより、例えば、図３に表されるように、記憶装置１２は、物品情報を記憶する。
【００３９】
更に、物品設定処理において、処理装置１１は、図４に表されるように、記憶装置１２に記憶されている複数の物品情報にそれぞれ含まれる複数の物品画像ＧＩ１〜ＧＩ３が描画されるとともに、描画領域ＤＲを含む画像を出力装置１４を介して出力する。
このようにして、処理装置１１は、物品設定処理を実行する。
【００４０】
次いで、処理装置１１は、背景設定処理を実行する（ステップＳ１０２）。
背景設定処理において、処理装置１１は、物品管理装置１のユーザにより入力された背景画像ＢＧを受け付け、受け付けられた背景画像ＢＧを記憶装置１２に記憶させる。
【００４１】
更に、背景設定処理において、処理装置１１は、図５に表されるように、記憶装置１２に記憶されている背景画像ＢＧが描画領域ＤＲの背景として描画された画像を出力装置１４を介して出力する。
このようにして、処理装置１１は、背景設定処理を実行する。
【００４２】
次いで、処理装置１１は、配置区画設定処理を実行する（ステップＳ１０３）。
配置区画設定処理において、処理装置１１は、物品管理装置１のユーザにより入力された配置区画情報及びブロック情報を受け付ける。
配置区画設定処理において、処理装置１１は、配置区画情報が受け付けられる毎に、受け付けられた配置区画情報を記憶装置１２に記憶させる。これにより、例えば、図６に表されるように、記憶装置１２は、配置区画情報を記憶する。
同様に、配置区画設定処理において、処理装置１１は、ブロック情報が受け付けられる毎に、受け付けられたブロック情報を記憶装置１２に記憶させる。これにより、例えば、図７に表されるように、記憶装置１２は、ブロック情報を記憶する。
【００４３】
更に、配置区画設定処理において、処理装置１１は、図１２及び図１３に表されるように、記憶装置１２に記憶されている配置区画情報が表す配置区画ＲＩ１〜ＲＩ３が描画領域ＤＲにおいて描画された画像を出力装置１４を介して出力する。図１２は、配置区画ＩＤがＲ０１である配置区画情報が記憶装置１２に記憶されている場合において出力される画像を表す。図１３は、配置区画ＩＤがそれぞれ、Ｒ０１、Ｒ０２、及び、Ｒ０３である３つの配置区画情報が記憶装置１２に記憶されている場合において出力される画像を表す。
このようにして、処理装置１１は、配置区画設定処理を実行する。
【００４４】
次いで、処理装置１１は、物品配置処理を実行する（ステップＳ１０４）。
具体的には、物品配置処理において、処理装置１１は、図１１に表される処理を実行する。先ず、処理装置１１は、物品位置情報を受け付けるまで待機する（ステップＳ２０１の「Ｎｏ」ルート）。
【００４５】
物品管理装置１のユーザにより物品位置情報が入力された場合、処理装置１１は、当該物品位置情報を受け付け、ステップＳ２０１にて「Ｙｅｓ」と判定し、ステップＳ２０２へ進む。例えば、図１４の矢印ＡＲ１により表されるように、物品画像ＧＩ１を描画領域ＤＲ内に配置するユーザの操作に基づいて、物品位置情報は入力される。
【００４６】
次いで、処理装置１１は、描画領域ＤＲにおいて、ステップＳ２０１にて受け付けられた物品位置情報に含まれる物品位置にて、当該物品位置情報に含まれる物品ＩＤと、記憶装置１２に記憶されている物品情報にて関連付けられた物品画像が描画された画像を出力装置１４を介して出力する（ステップＳ２０２）。
【００４７】
次いで、処理装置１１は、記憶装置１２に記憶されている複数の配置区画情報（換言すると、配置区画情報群）を取得する（ステップＳ２０３）。
次いで、処理装置１１は、取得された複数の配置区画情報のそれぞれを１つずつ順に処理対象として用いるループ処理（ステップＳ２０４〜ステップＳ２０７）を実行する。
【００４８】
ループ処理において、処理装置１１は、ステップＳ２０１にて受け付けられた物品位置情報に含まれる物品位置が、処理対象の配置区画情報が表す配置区画に含まれるか否かを判定する（ステップＳ２０５）。当該物品位置が当該配置区画に含まれる場合、処理装置１１は、ステップＳ２０５にて「Ｙｅｓ」と判定し、ステップＳ２０６へ進む。次いで、処理装置１１は、当該配置区画と、ステップＳ２０１にて受け付けられた物品位置情報に含まれる物品ＩＤにより識別される物品と、が互いに関連付けられた物品配置情報を生成し、生成された物品配置情報を記憶装置１２に記憶させる（ステップＳ２０６）。これにより、例えば、図８のうちの、配置ＩＤがＡ０１である行にて表されるように、記憶装置１２は、物品配置情報を記憶する。
【００４９】
一方、当該物品位置が当該配置区画に含まれない場合、処理装置１１は、ステップＳ２０５にて「Ｎｏ」と判定し、ステップＳ２０６へ進むことなく、ステップＳ２０７へ進む。
【００５０】
そして、処理装置１１は、取得された複数の配置区画情報のすべてに対して、上記ループ処理（ステップＳ２０４〜ステップＳ２０７）を実行した後、ステップＳ２０１へ戻る。なお、処理装置１１は、ステップＳ２０６が実行された場合、その後の上記ループ処理の実行を省略してもよい。
【００５１】
例えば、図１５に表されるように、物品位置情報の入力が３回、繰り返し行なわれた場合、図８のうちの、配置ＩＤがそれぞれ、Ａ０１、Ａ０２、及び、Ａ０３である３行にて表されるように、記憶装置１２は、３個の物品配置情報を記憶する。
このようにして、処理装置１１は、物品配置処理を実行する。
【００５２】
次いで、処理装置１１は、出力処理を実行する（ステップＳ１０５）。
出力処理において、処理装置１１は、物品管理装置１のユーザにより入力された出力指示を受け付け、記憶装置１２に記憶されている物品配置情報に基づいて、出力情報を出力装置１４を介して出力する。これにより、例えば、図８に表される物品配置情報が記憶されている場合、図９に表されるように、出力情報が出力される。
このようにして、処理装置１１は、出力処理を実行する。
【００５３】
以上のように、処理装置１１は、図１０に表される処理を実行する。
なお、図１０に表される各処理は、図１０に表される順序と異なる順序にて実行されてもよい。例えば、ステップＳ１０１の処理は、ステップＳ１０２の処理の後に実行されてもよい。
【００５４】
また、処理装置１１は、図１１のステップＳ２０５にて「Ｎｏ」と判定された場合、ステップＳ２０１にて受け付けられた物品位置情報に含まれる物品ＩＤにより識別される物品と、予め定められた配置区画（例えば、規定値としての配置区画ＩＤにより識別される配置区画）と、が互いに関連付けられた物品配置情報を生成し、生成された物品配置情報を記憶装置１２に記憶させてもよい。
【００５５】
以上、説明したように、第１実施形態の物品管理装置１は、配置区画情報処理部１０５と、物品位置情報処理部１０７と、物品配置情報生成部１０８と、を備える。
配置区画情報処理部１０５は、描画領域ＤＲにおける複数の配置区画をそれぞれ表す複数の配置区画情報を受け付け、受け付けられた複数の配置区画情報がそれぞれ表す複数の配置区画を描画領域ＤＲにおいて描画する。
【００５６】
物品位置情報処理部１０７は、物品を表す物品画像を描画領域ＤＲ内に配置するユーザの操作に基づいて、描画領域ＤＲにおける当該物品の位置を表す物品位置情報を受け付け、描画領域ＤＲにおいて、受け付けられた物品位置情報が表す位置にて当該物品画像を描画する。
【００５７】
物品配置情報生成部１０８は、受け付けられた物品位置情報と、受け付けられた複数の配置区画情報と、に基づいて、複数の配置区画情報がそれぞれ表す複数の配置区画の中から、当該物品位置情報が表す物品の位置を含む配置区画を特定し、特定された配置区画と、当該物品と、が互いに関連付けられた物品配置情報を生成する。
【００５８】
これによれば、描画領域ＤＲにおいて複数の配置区画を設けることができる。従って、ユーザが物品画像を配置区画内に配置する操作を行うことにより、物品と配置区画とを互いに関連付けることができる。この結果、物品を配置区画毎に管理するための情報を容易に取得できる。
【００５９】
＜第１実施形態の第１変形例＞
次に、第１実施形態の第１変形例の物品管理装置について説明する。第１実施形態の第１変形例の物品管理装置は、第１実施形態の物品管理装置に対して、ユーザが配置先の位置を１つ指定する操作を行うことにより、複数の物品画像を配置できるように構成される点において相違している。以下、相違点を中心として説明する。なお、第１実施形態の第１変形例の説明において、第１実施形態にて使用した符号と同じ符号を付したものは、同一又は略同様のものである。
【００６０】
（機能）
第１実施形態の第１変形例の物品配置情報生成部１０８は、物品管理装置１のユーザが入力装置１３を介して物品管理装置１に入力する物品選択情報及び位置情報を受け付ける。本例では、位置情報は、指定位置情報と表されてもよい。
【００６１】
物品選択情報は、物品管理装置１のユーザにより選択された少なくとも１つの物品画像がそれぞれ表す少なくとも１つの物品を表す情報である。本例では、物品選択情報は、当該選択された少なくとも１つの物品画像と、物品情報記憶部１０２に記憶されている物品情報にてそれぞれ関連付けられた少なくとも１つの物品ＩＤを含む。
位置情報は、当該選択された少なくとも１つの物品画像の描画領域ＤＲにおける配置先の位置を表す情報である。
【００６２】
本例では、物品選択情報及び位置情報は、描画領域ＤＲにおいて描画された少なくとも１つの物品画像を選択するとともに、当該選択された少なくとも１つの物品画像の描画領域ＤＲにおける配置先の位置を指定するユーザの操作（例えば、クリック又はタップと呼ばれる操作）に基づいて入力される。
【００６３】
物品配置情報生成部１０８は、物品選択情報及び位置情報が受け付けられる毎に、描画領域ＤＲにおいて、当該位置情報が表す位置に対応する位置にて、当該物品選択情報に含まれる少なくとも１つの物品ＩＤと、物品情報記憶部１０２に記憶されている物品情報にてそれぞれ関連付けられた少なくとも１つの物品画像が描画された画像を出力装置１４を介して出力する。
【００６４】
本例では、位置情報が表す位置に対応する位置は、当該少なくとも１つの物品画像が並ぶ位置を有するように決定される。
【００６５】
物品配置情報生成部１０８は、物品選択情報及び位置情報が受け付けられる毎に、当該位置情報と、配置区画情報記憶部１０６に記憶されている複数の配置区画情報と、に基づいて、当該複数の配置区画情報がそれぞれ表す複数の配置区画の中から、当該位置情報が表す位置を含む配置区画を特定する。物品配置情報生成部１０８は、当該物品選択情報に含まれる少なくとも１つの物品ＩＤのそれぞれに対して、当該物品ＩＤにより識別される物品と、当該特定された配置区画と、が互いに関連付けられた物品配置情報を生成する。
【００６６】
（動作）
次に、第１実施形態の第１変形例の物品管理装置１の動作について、図１６乃至図１９を参照しながら説明する。
処理装置１１は、物品配置処理において、図１１に表される処理に加えて、図１６に表される処理を実行する。先ず、処理装置１１は、物品選択情報を受け付けるまで待機する（ステップＳ３０１の「Ｎｏ」ルート）。
【００６７】
物品管理装置１のユーザにより物品選択情報が入力された場合、処理装置１１は、当該物品選択情報を受け付け、ステップＳ３０１にて「Ｙｅｓ」と判定し、指定位置情報を受け付けるまで待機する（ステップＳ３０２の「Ｎｏ」ルート）。
【００６８】
例えば、図１７に表されるように、２つの物品画像ＧＩ４，ＧＩ５が描画領域ＤＲにて描画されている場合、物品管理装置１のユーザが２つの物品画像ＧＩ４，ＧＩ５を選択する操作を行うことにより、当該２つの物品画像ＧＩ４，ＧＩ５に対応する物品選択情報が入力される。本例では、図１８に表されるように、選択された物品画像ＧＩ４，ＧＩ５は、選択されていない物品画像と異なる態様にて表示（本例では、物品画像の枠線が点線にて表示）される。なお、選択された物品画像は、選択されていない物品画像と同じ態様にて表示されてもよい。
【００６９】
物品管理装置１のユーザにより指定位置情報が入力された場合、処理装置１１は、当該指定位置情報を受け付け、ステップＳ３０３へ進む。例えば、図１８の矢印ＡＲ２により表されるカーソルを描画領域ＤＲ内に配置するユーザの操作に基づいて、指定位置情報は入力される。
【００７０】
次いで、処理装置１１は、記憶装置１２に記憶されている複数の配置区画情報（換言すると、配置区画情報群）を取得する（ステップＳ３０３）。
次いで、処理装置１１は、取得された複数の配置区画情報のそれぞれを１つずつ順に処理対象として用いる第１ループ処理（ステップＳ３０４〜ステップＳ３１０）を実行する。
【００７１】
第１ループ処理において、処理装置１１は、ステップＳ３０２にて受け付けられた指定位置情報が表す位置（換言すると、指定位置）が、処理対象の配置区画情報が表す配置区画に含まれるか否かを判定する（ステップＳ３０５）。当該指定位置が当該配置区画に含まれる場合、処理装置１１は、ステップＳ３０５にて「Ｙｅｓ」と判定し、ステップＳ３０６へ進む。
一方、当該指定位置が当該配置区画に含まれない場合、処理装置１１は、ステップＳ３０５にて「Ｎｏ」と判定し、ステップＳ３０６へ進むことなく、ステップＳ３１０へ進む。
【００７２】
処理装置１１は、ステップＳ３０６へ進んだ場合、ステップＳ３０１にて受け付けられた物品選択情報が表す少なくとも１つの物品のそれぞれを１つずつ順に処理対象として用いる第２ループ処理（ステップＳ３０６〜ステップＳ３０９）を実行する。
【００７３】
第２ループ処理において、処理装置１１は、描画領域ＤＲにおいて、ステップＳ３０２にて受け付けられた指定位置情報が表す位置に対応する位置にて、処理対象の物品を識別する物品ＩＤと、記憶装置１２に記憶されている物品情報にて関連付けられた物品画像が描画された画像を出力装置１４を介して出力する（ステップＳ３０７）。
【００７４】
更に、第２ループ処理において、処理装置１１は、当該配置区画と、処理対象の物品と、が互いに関連付けられた物品配置情報を生成し、生成された物品配置情報を記憶装置１２に記憶させる（ステップＳ３０８）。
【００７５】
そして、処理装置１１は、ステップＳ３０１にて受け付けられた物品選択情報が表す少なくとも１つの物品のすべてに対して、第２ループ処理（ステップＳ３０６〜ステップＳ３０９）を実行した後、ステップＳ３１０へ進む。これにより、例えば、図１９に表されるように、物品管理装置１のユーザにより選択された２つの物品画像ＧＩ４，ＧＩ５に対応する２つの物品画像ＧＩ６，ＧＩ７が、当該ユーザにより指定された位置にて描画された画像が、出力装置１４を介して出力される。
【００７６】
処理装置１１は、取得された複数の配置区画情報のすべてに対して、第１ループ処理（ステップＳ３０４〜ステップＳ３１０）を実行した後、ステップＳ３０１へ戻る。なお、処理装置１１は、ステップＳ３０６〜ステップＳ３０９が実行された場合、その後の第１ループ処理の実行を省略してもよい。
【００７７】
また、処理装置１１は、図１６のステップＳ３０５にて「Ｎｏ」と判定された場合、ステップＳ３０１にて受け付けられた物品選択情報が表す少なくとも１つの物品のそれぞれに対して、当該物品と、予め定められた配置区画（例えば、規定値としての配置区画ＩＤにより識別される配置区画）と、が互いに関連付けられた物品配置情報を生成し、生成された物品配置情報を記憶装置１２に記憶させてもよい。
【００７８】
以上、説明したように、第１実施形態の第１変形例の物品管理装置１によれば、第１実施形態の物品管理装置１と同様の作用及び効果が奏される。
更に、第１実施形態の第１変形例の物品管理装置１において、物品配置情報生成部１０８は、描画領域ＤＲにて描画された少なくとも１つの物品画像を選択するとともに、当該選択された少なくとも１つの物品画像の描画領域ＤＲにおける配置先の位置を指定するユーザの操作に基づいて、当該選択された少なくとも１つの物品画像がそれぞれ表す少なくとも１つの物品を表す物品選択情報と、当該指定された位置を表す位置情報と、を受け付ける。
【００７９】
加えて、物品配置情報生成部１０８は、当該受け付けられた位置情報と、配置区画情報記憶部１０６に記憶されている複数の配置区画情報と、に基づいて、当該複数の配置区画情報がそれぞれ表す複数の配置区画の中から、当該位置情報が表す位置を含む配置区画を特定する。更に、物品配置情報生成部１０８は、当該受け付けられた物品選択情報が表す少なくとも１つの物品のそれぞれに対して、当該物品と、当該特定された配置区画と、が互いに関連付けられた物品配置情報を生成する。
【００８０】
これによれば、物品管理装置１のユーザが配置先の位置を１つ指定する操作を行うことにより、複数の物品画像を配置できる。従って、ある配置区画に関連付けられた物品群と同じ物品群を、他の配置区画に容易に関連付けることができる。この結果、物品を配置区画毎に管理するための情報を迅速に取得できる。
【００８１】
＜第１実施形態の第２変形例＞
次に、第１実施形態の第２変形例の物品管理装置について説明する。第１実施形態の第２変形例の物品管理装置は、第１実施形態の物品管理装置に対して、ユーザが１つの配置区画の移動先の位置を指定する操作を行うことにより、当該配置区画に関連付けられた物品を表す物品画像が描画される位置を更新できるように構成される点において相違している。以下、相違点を中心として説明する。なお、第１実施形態の第２変形例の説明において、第１実施形態にて使用した符号と同じ符号を付したものは、同一又は略同様のものである。
【００８２】
（機能）
図２０に表されるように、第１実施形態の第２変形例の物品管理装置１Ａの機能は、第１実施形態の配置区画情報処理部１０５に代えて配置区画情報処理部１０５Ａを含むとともに、第１実施形態の物品位置情報処理部１０７に代えて物品位置情報処理部１０７Ａを含む。
【００８３】
配置区画情報処理部１０５Ａは、第１実施形態の配置区画情報処理部１０５と同様の機能に加えて、以下の機能を有する。
配置区画情報処理部１０５Ａは、物品管理装置１Ａのユーザが入力装置１３を介して物品管理装置１Ａに入力する特定情報及び位置情報を受け付ける。本例では、特定情報は、配置区画特定情報と表されてもよい。本例では、位置情報は、指定位置情報と表されてもよい。
【００８４】
特定情報は、配置区画情報記憶部１０６に記憶されている複数の配置区画情報がそれぞれ表す複数の配置区画の中から、物品管理装置１Ａのユーザにより選択された配置区画を特定する情報である。本例では、特定情報は、当該選択された配置区画を識別する配置区画ＩＤを含む。
位置情報は、当該選択された配置区画の描画領域ＤＲにおける移動先の位置を表す情報である。
【００８５】
本例では、特定情報及び位置情報は、描画領域ＤＲにおいて描画された配置区画を選択するとともに、当該選択された配置区画の描画領域ＤＲにおける移動先の位置を指定するユーザの操作（例えば、クリック若しくはタップと呼ばれる操作、又は、ドラッグ・アンド・ドロップと呼ばれる操作）に基づいて入力される。
【００８６】
配置区画情報処理部１０５Ａは、特定情報及び位置情報が受け付けられた場合、配置区画情報記憶部１０６に記憶されている配置区画情報のうちの、当該特定情報により特定される配置区画を表す配置区画情報に含まれる配置区画位置を、当該位置情報が表す位置に更新する。
【００８７】
更に、配置区画情報処理部１０５Ａは、特定情報及び位置情報が受け付けられた場合、描画領域ＤＲにおいて、当該特定情報により特定される配置区画が、当該位置情報が表す位置にて描画された画像を出力装置１４を介して出力する。
【００８８】
物品位置情報処理部１０７Ａは、第１実施形態の物品位置情報処理部１０７と同様の機能に加えて、以下の機能を有する。
物品位置情報処理部１０７Ａは、配置区画情報処理部１０５Ａにより特定情報及び位置情報が受け付けられた場合、物品配置情報記憶部１０９に記憶されている物品配置情報のうちの、当該特定情報により特定される配置区画を識別する配置区画ＩＤを含む物品配置情報のそれぞれに対して、当該物品配置情報に含まれる物品位置を当該位置情報が表す位置に対応する位置に更新する。
【００８９】
更に、物品位置情報処理部１０７Ａは、配置区画情報処理部１０５Ａにより特定情報及び位置情報が受け付けられた場合、当該特定情報により特定される配置区画と、物品配置情報記憶部１０９に記憶されている物品配置情報にて関連付けられた少なくとも１つの物品のそれぞれに対して、描画領域ＤＲにおいて、当該位置情報が表す位置に対応する位置にて当該物品を表す物品画像が描画された画像を出力装置１４を介して出力する。
【００９０】
本例では、位置情報が表す位置に対応する位置は、配置区画に対する移動の方向及び距離と、物品画像に対する移動の方向及び距離と、が一致するように決定される。
【００９１】
（動作）
次に、第１実施形態の第２変形例の物品管理装置１Ａの動作について、図２１乃至図２５を参照しながら説明する。
処理装置１１は、図１０に表される処理に代えて、図２１に表される処理を実行する。
図２１に表される処理は、図１０に表される処理において、ステップＳ１０４とステップＳ１０５との間に、ステップＳ１１１及びステップＳ１１２が追加された処理である。
【００９２】
具体的には、処理装置１１は、第１実施形態の物品管理装置１と同様に、ステップＳ１０１〜ステップＳ１０４の処理を実行する。これにより、例えば、図２２に表されるように、描画領域ＤＲにおいて、背景として背景画像ＢＧが描画されるとともに、配置区画ＲＩ１内に２つの物品画像ＧＩ４，ＧＩ５が描画された画像が出力される。
【００９３】
その後、処理装置１１は、背景変更処理を実行する（ステップＳ１１１）。
背景変更処理において、処理装置１１は、物品管理装置１Ａのユーザにより入力された背景画像ＢＧ’を受け付け、記憶装置１２に記憶されている背景画像ＢＧを、受け付けられた背景画像ＢＧ’に更新する。
【００９４】
更に、背景変更処理において、処理装置１１は、図２３に表されるように、記憶装置１２に記憶されている背景画像ＢＧ’が描画領域ＤＲの背景として描画された画像を出力装置１４を介して出力する。
このようにして、処理装置１１は、背景変更処理を実行する。
【００９５】
次いで、処理装置１１は、配置区画移動処理を実行する（ステップＳ１１２）。
具体的には、配置区画移動処理において、処理装置１１は、図２４に表される処理を実行する。先ず、処理装置１１は、配置区画特定情報を受け付けるまで待機する（ステップＳ４０１の「Ｎｏ」ルート）。
【００９６】
物品管理装置１Ａのユーザにより配置区画特定情報が入力された場合、処理装置１１は、当該配置区画特定情報を受け付け、ステップＳ４０１にて「Ｙｅｓ」と判定し、指定位置情報を受け付けるまで待機する（ステップＳ４０２の「Ｎｏ」ルート）。
【００９７】
物品管理装置１Ａのユーザにより指定位置情報が入力された場合、処理装置１１は、当該指定位置情報を受け付け、ステップＳ４０３へ進む。例えば、図２３の矢印ＡＲ３により表されるように、配置区画ＲＩ１を描画領域ＤＲにおいて移動させるユーザの操作に基づいて、配置区画特定情報及び指定位置情報は入力される。
【００９８】
次いで、処理装置１１は、記憶装置１２に記憶されている配置区画情報のうちの、ステップＳ４０１にて受け付けられた配置区画特定情報により特定される配置区画を表す配置区画情報に含まれる配置区画位置を、ステップＳ４０２にて受け付けられた指定位置情報が表す位置に更新する（ステップＳ４０３）。
【００９９】
次いで、処理装置１１は、ステップＳ４０３にて配置区画位置が更新された配置区画が、更新後の位置にて描画された画像を出力装置１４を介して出力する（ステップＳ４０４）。
【０１００】
次いで、処理装置１１は、記憶装置１２に記憶されている複数の物品配置情報（換言すると、物品配置情報群）を取得する（ステップＳ４０５）。
次いで、処理装置１１は、取得された複数の物品配置情報のそれぞれを１つずつ順に処理対象として用いるループ処理（ステップＳ４０６〜ステップＳ４１０）を実行する。
【０１０１】
ループ処理において、処理装置１１は、ステップＳ４０１にて受け付けられた配置区画特定情報に含まれる配置区画ＩＤと、処理対象の物品配置情報に含まれる配置区画ＩＤと、が一致する（換言すると、処理対象の物品配置情報が、特定された配置区画に関連付けられている）か否かを判定する（ステップＳ４０７）。
【０１０２】
処理対象の物品配置情報が、特定された配置区画に関連付けられている場合、処理装置１１は、ステップＳ４０７にて「Ｙｅｓ」と判定し、ステップＳ４０８へ進む。一方、処理対象の物品配置情報が、特定された配置区画に関連付けられていない場合、処理装置１１は、ステップＳ４０７にて「Ｎｏ」と判定し、ステップＳ４０８へ進むことなく、ステップＳ４１０へ進む。
【０１０３】
処理装置１１は、ステップＳ４０８へ進んだ場合、処理対象の物品配置情報に含まれる物品位置を、ステップＳ４０２にて受け付けられた指定位置情報が表す位置に対応する位置に更新することにより、当該物品配置情報を更新する（ステップＳ４０８）。
【０１０４】
次いで、処理装置１１は、描画領域ＤＲにおいて、ステップＳ４０２にて受け付けられた指定位置情報が表す位置に対応する位置にて、処理対象の物品配置情報に含まれる物品ＩＤと、記憶装置１２に記憶されている物品情報にて関連付けられた物品画像が描画された画像を出力装置１４を介して出力する（ステップＳ４０９）。
【０１０５】
そして、処理装置１１は、取得された複数の物品配置情報のすべてに対して、上記ループ処理（ステップＳ４０６〜ステップＳ４１０）を実行した後、ステップＳ４０１へ戻る。これにより、例えば、物品管理装置１Ａのユーザが配置区画ＲＩ１の移動先の位置を指定する操作を行うことにより、図２５に表されるように、描画領域ＤＲにおいて、移動後の配置区画ＲＩ１’内に２つの物品画像ＧＩ４’，ＧＩ５’が描画された画像が出力される。
このようにして、処理装置１１は、配置区画移動処理を実行する。
【０１０６】
その後、処理装置１１は、第１実施形態の物品管理装置１と同様に、ステップＳ１０５の処理を実行する。
【０１０７】
以上、説明したように、第１実施形態の第２変形例の物品管理装置１Ａによれば、第１実施形態の物品管理装置１と同様の作用及び効果が奏される。
更に、第１実施形態の第２変形例の物品管理装置１Ａにおいて、配置区画情報処理部１０５Ａは、描画領域ＤＲにおいて描画された配置区画を選択するとともに、当該選択された配置区画の描画領域ＤＲにおける移動先の位置を指定するユーザの操作に基づいて、配置区画情報記憶部１０６に記憶されている複数の配置区画情報がそれぞれ表す複数の配置区画の中から、当該選択された配置区画を特定する特定情報と、当該指定された位置を表す位置情報と、を受け付ける。
【０１０８】
更に、物品位置情報処理部１０７Ａは、当該受け付けられた特定情報により特定される配置区画と、物品配置情報記憶部１０９に記憶されている物品配置情報にて関連付けられた少なくとも１つの物品のそれぞれに対して、描画領域ＤＲにおいて、当該受け付けられた位置情報が表す位置に対応する位置にて当該物品を表す物品画像を描画する。
【０１０９】
これによれば、物品管理装置１Ａのユーザが１つの配置区画の移動先の位置を指定する操作を行うことにより、当該配置区画に関連付けられた物品を表す物品画像が描画される位置を更新できる。従って、物品管理装置１Ａのユーザが物品毎の移動先の位置を指定する操作を行う手間を軽減できる。
【０１１０】
＜第２実施形態＞
次に、第２実施形態の物品管理装置について説明する。第２実施形態の物品管理装置は、第１実施形態の物品管理装置に対して、ユーザが物品画像を配置区画内に配置する操作を繰り返し行うことなく、複数の物品のそれぞれと、配置区画と、が互いに関連付けられた物品配置情報を生成できるように構成される点において相違している。以下、相違点を中心として説明する。なお、第２実施形態の説明において、第１実施形態にて使用した符号と同じ符号を付したものは、同一又は略同様のものである。
【０１１１】
（機能）
図２６に表されるように、第２実施形態の物品管理装置１Ｂの機能は、第１実施形態の物品配置情報生成部１０８に代えて物品配置情報生成部１０８Ｂを含む。更に、第２実施形態の物品管理装置１Ｂの機能は、第１実施形態の物品管理装置１の機能に加えて、物品群情報処理部１１０と、物品群情報記憶部１１１と、を含む。
【０１１２】
物品群情報処理部１１０は、物品管理装置１Ｂのユーザが入力装置１３を介して物品管理装置１Ｂに入力する物品群情報を受け付ける。
物品群情報は、少なくとも１つの物品からなる物品群を表す情報である。図２７に表されるように、物品群情報は、互いに関連付けられた、物品群ＩＤ、物品群名、物品ＩＤ群、区画キー、及び、ブロックキーを含む。
【０１１３】
物品群ＩＤは、物品群を識別するための情報である。物品群ＩＤは、物品群識別情報と表されてもよい。物品群名は、物品群の名称を表す情報である。物品ＩＤ群は、物品群を構成する少なくとも１つの物品をそれぞれ識別する少なくとも１つの物品ＩＤからなる。区画キーは、配置区画名に対するキーワードを表す情報である。ブロックキーは、ブロック名に対するキーワードを表す情報である。
【０１１４】
物品群情報記憶部１１１は、物品群情報処理部１１０により物品群情報が受け付けられる毎に、受け付けられた物品群情報を記憶する。
【０１１５】
物品群情報処理部１１０は、物品群情報記憶部１１１に記憶されている物品群情報の変更又は削除を受け付ける。
物品群情報記憶部１１１は、物品群情報処理部１１０により物品群情報の変更又は削除が受け付けられた場合、記憶されている物品群情報の変更又は削除を行う。
【０１１６】
物品配置情報生成部１０８Ｂは、物品管理装置１Ｂのユーザが入力装置１３を介して物品管理装置１Ｂに入力する物品群区画情報を受け付ける。
物品群区画情報は、描画領域ＤＲにおける物品群区画を表す情報である。本例では、物品群区画は、長方形である。本例では、物品群区画情報は、描画領域ＤＲにおける物品群区画の位置及び形状を表す情報（例えば、物品群区画の対頂点を構成する２つの頂点のそれぞれの位置を表す情報）を含む。
【０１１７】
なお、物品群区画は、長方形以外の閉曲線（例えば、多角形、円形、又は、楕円形等）であってもよい。この場合、物品群区画情報は、閉曲線を構成する複数の頂点のそれぞれの位置を表す情報を含んでいてもよい。
【０１１８】
物品配置情報生成部１０８Ｂは、物品群区画情報が受け付けられた場合、当該物品群区画情報が表す物品群区画が描画領域ＤＲにおいて描画された画像を出力装置１４を介して出力する。
【０１１９】
物品配置情報生成部１０８Ｂは、物品群区画情報が受け付けられた場合、当該物品群区画情報と、配置区画情報記憶部１０６に記憶されている複数の配置区画情報と、に基づいて、当該複数の配置区画情報がそれぞれ表す複数の配置区画の中から、当該物品群区画情報が表す物品群区画を含む配置区画を特定する。
【０１２０】
更に、物品配置情報生成部１０８Ｂは、物品群情報記憶部１１１に記憶されている少なくとも１つの物品群情報がそれぞれ表す少なくとも１つの物品群の中から、当該受け付けられた物品群区画情報に基づいて、少なくとも１つの物品群を抽出する。
物品配置情報生成部１０８Ｂは、物品群の抽出を、受け付けられた物品群区画情報が表す物品群区画の大きさと、物品群を構成する物品の数と、当該物品群区画情報に基づいて特定された配置区画に対する属性情報と、に基づいて行う。
【０１２１】
配置区画に対する属性情報は、配置区画の属性を表す情報である。本例では、配置区画の属性は、配置区画名と、配置区画と関連付けられたブロック名と、を含む。なお、配置区画の属性は、配置区画名、及び、ブロック名の一方を含み、且つ、他方を含まなくてもよい。
【０１２２】
本例では、物品配置情報生成部１０８Ｂは、受け付けられた物品群区画情報が表す物品群区画の大きさに対応する数の物品により構成される（換言すると、物品ＩＤ群が当該数の物品ＩＤを含む）とともに、特定された配置区画に関連付けられた配置区画名が区画キーを含み、且つ、特定された配置区画に関連付けられたブロック名がブロックキーを含む物品群情報が表す物品群を抽出する。
【０１２３】
本例では、物品群区画の大きさに対応する数は、当該物品群区画内に並べて配置することが可能な物品画像の数の最大値である。なお、物品配置情報生成部１０８Ｂは、物品群区画の大きさが、物品画像の大きさよりも小さい場合、物品群区画の大きさに対応する数が１個であると判定してもよい。
【０１２４】
なお、物品配置情報生成部１０８Ｂは、物品群の抽出を、配置区画に対する属性情報に基づくことなく、物品群区画の大きさと、物品群を構成する物品の数と、に基づいて行ってもよい。また、物品配置情報生成部１０８Ｂは、物品群の抽出を、物品群区画の大きさと、物品群を構成する物品の数と、に基づくことなく、配置区画に対する属性情報に基づいて行ってもよい。
【０１２５】
物品配置情報生成部１０８Ｂは、抽出された物品群が１つである場合、当該物品群を選択する。
物品配置情報生成部１０８Ｂは、抽出された物品群が複数である場合、当該複数の物品群をそれぞれ特定する複数の特定情報を出力装置１４を介して出力（本例では、表示）する。本例では、特定情報は、物品群を表す物品群情報に含まれる物品群名である。なお、特定情報は、物品群を表す物品群情報に含まれる物品群ＩＤであってもよい。
【０１２６】
物品配置情報生成部１０８Ｂは、複数の特定情報が出力された場合、物品管理装置１Ｂのユーザが入力装置１３を介して物品管理装置１Ｂに入力する物品群選択情報を受け付ける。物品群選択情報は、物品管理装置１Ｂのユーザにより選択された物品群を表す情報である。本例では、物品群選択情報は、当該選択された物品群を識別する物品群ＩＤを含む。
【０１２７】
本例では、物品群選択情報は、出力された複数の特定情報により、それぞれ特定される複数の物品群の中から１つの物品群を選択するユーザの操作（例えば、クリック又はタップと呼ばれる操作）に基づいて入力される。
物品配置情報生成部１０８Ｂは、物品群選択情報が受け付けられた場合、抽出された複数の物品群の中から、当該物品群選択情報が表す物品群を選択する。
【０１２８】
物品配置情報生成部１０８Ｂは、選択された物品群を構成する物品のそれぞれに対して、当該物品と、特定された配置区画と、が互いに関連付けられた物品配置情報を生成する。
【０１２９】
加えて、物品配置情報生成部１０８Ｂは、選択された物品群を構成する少なくとも１つの物品と、物品情報記憶部１０２に記憶されている物品情報にてそれぞれ関連付けられた少なくとも１つの物品画像が、描画領域ＤＲにおいて、受け付けられた物品群区画情報が表す物品群区画内に描画された画像を出力装置１４を介して出力する。
【０１３０】
（動作）
次に、第２実施形態の物品管理装置１Ｂの動作について、図２７乃至図３２を参照しながら説明する。
処理装置１１は、図１０に表される処理に代えて、図２８に表される処理を実行する。
図２８に表される処理は、図１０に表される処理において、ステップＳ１０１とステップＳ１０２との間に、ステップＳ１２１が追加された処理である。
【０１３１】
具体的には、処理装置１１は、第１実施形態の物品管理装置１と同様に、ステップＳ１０１の処理を実行する。
その後、処理装置１１は、物品群設定処理を実行する（ステップＳ１２１）。
物品群設定処理において、処理装置１１は、物品管理装置１Ｂのユーザにより入力された物品群情報を受け付け、物品群情報が受け付けられる毎に、受け付けられた物品群情報を記憶装置１２に記憶させる。これにより、例えば、図２７に表されるように、記憶装置１２は、物品群情報を記憶する。
このようにして、処理装置１１は、物品群設定処理を実行する。
【０１３２】
その後、処理装置１１は、第１実施形態の物品管理装置１と同様に、ステップＳ１０２〜ステップＳ１０４の処理を実行する。
本例では、処理装置１１は、物品配置処理において、図１１に表される処理に加えて、図２９に表される処理を実行する。先ず、処理装置１１は、物品群区画情報を受け付けるまで待機する（ステップＳ５０１の「Ｎｏ」ルート）。
【０１３３】
物品管理装置１Ｂのユーザにより物品群区画情報が入力された場合、処理装置１１は、当該物品群区画情報を受け付け、ステップＳ５０１にて「Ｙｅｓ」と判定し、当該物品群区画情報が表す物品群区画が描画領域ＤＲにおいて描画された画像を出力装置１４を介して出力し、ステップＳ５０２へ進む。例えば、図３０に表されるように、物品群区画情報が表す物品群区画ＦＲ１が描画領域ＤＲにおいて描画された画像が出力装置１４を介して出力される。
【０１３４】
次いで、処理装置１１は、記憶装置１２に記憶されている複数の配置区画情報（換言すると、配置区画情報群）を取得する（ステップＳ５０２）。
次いで、処理装置１１は、取得された複数の配置区画情報のそれぞれを１つずつ順に処理対象として用いる第１ループ処理（ステップＳ５０３〜ステップＳ５１４）を実行する。
【０１３５】
第１ループ処理において、処理装置１１は、ステップＳ５０１にて受け付けられた物品群区画情報が表す物品群区画が、処理対象の配置区画情報が表す配置区画に含まれるか否かを判定する（ステップＳ５０４）。当該物品群区画が当該配置区画に含まれる場合、処理装置１１は、ステップＳ５０４にて「Ｙｅｓ」と判定し、ステップＳ５０５へ進む。
一方、当該物品群区画が当該配置区画に含まれない場合、処理装置１１は、ステップＳ５０４にて「Ｎｏ」と判定し、ステップＳ５０５へ進むことなく、ステップＳ５１４へ進む。
【０１３６】
処理装置１１は、ステップＳ５０５へ進んだ場合、記憶装置１２に記憶されている少なくとも１つの物品群情報がそれぞれ表す少なくとも１つの物品群の中から、ステップＳ５０１にて受け付けられた物品群区画情報に基づいて、少なくとも１つの物品群を抽出する（ステップＳ５０５）。
【０１３７】
次いで、処理装置１１は、ステップＳ５０５にて抽出された物品群の数（換言すると、抽出数）が２以上であるか否かを判定する（ステップＳ５０６）。抽出数が２以上である場合、処理装置１１は、ステップＳ５０６にて「Ｙｅｓ」と判定し、ステップＳ５０７へ進む。
一方、抽出数が１以下である場合、処理装置１１は、ステップＳ５０６にて「Ｎｏ」と判定し、ステップＳ５０７へ進むことなく、ステップＳ５０９へ進む。
【０１３８】
処理装置１１は、ステップＳ５０７へ進んだ場合、ステップＳ５０５にて抽出された複数の物品群（換言すると、物品群候補）をそれぞれ特定する複数の特定情報を出力装置１４を介して表示する（ステップＳ５０７）。例えば、図３１に表されるように、描画領域ＤＲにおいて、物品群区画ＦＲ１の下に、複数の特定情報が上下方向にて並べられた選択メニューＳＭが描画された画像が出力装置１４を介して出力される。
【０１３９】
次いで、処理装置１１は、物品群選択情報（換言すると、選択情報）を受け付けるまで待機する（ステップＳ５０８の「Ｎｏ」ルート）。物品管理装置１Ｂのユーザにより物品群選択情報が入力された場合、処理装置１１は、当該物品群選択情報を受け付け、ステップＳ５０８にて「Ｙｅｓ」と判定し、ステップＳ５０９へ進む。
【０１４０】
次いで、処理装置１１は、ステップＳ５０６にて「Ｙｅｓ」と判定された場合には、ステップＳ５０８にて受け付けられた物品群選択情報が表す物品群を選択し、ステップＳ５０６にて「Ｎｏ」と判定された場合には、ステップＳ５０５にて抽出された物品群を選択する（ステップＳ５０９）。
【０１４１】
次いで、処理装置１１は、ステップＳ５０９にて選択された物品群を構成する（換言すると、当該物品群を表す物品群情報に含まれる物品ＩＤ群に含まれる、少なくとも１つの物品ＩＤによりそれぞれ識別される）少なくとも１つの物品のそれぞれを１つずつ順に処理対象として用いる第２ループ処理（ステップＳ５１０〜ステップＳ５１３）を実行する。
【０１４２】
第２ループ処理において、処理装置１１は、描画領域ＤＲにおいて、ステップＳ５０１にて受け付けられた物品群区画情報が表す物品群区画内の位置にて、処理対象の物品を識別する物品ＩＤと、記憶装置１２に記憶されている物品情報にて関連付けられた物品画像が描画された画像を出力装置１４を介して出力する（ステップＳ５１１）。
【０１４３】
更に、第２ループ処理において、処理装置１１は、当該配置区画と、処理対象の物品と、が互いに関連付けられた物品配置情報を生成し、生成された物品配置情報を記憶装置１２に記憶させる（ステップＳ５１２）。
【０１４４】
そして、処理装置１１は、ステップＳ５０９にて選択された物品群を構成する少なくとも１つの物品のすべてに対して、第２ループ処理（ステップＳ５１０〜ステップＳ５１３）を実行した後、ステップＳ５１４へ進む。これにより、例えば、図３２に表されるように、物品管理装置１Ｂのユーザにより選択された、物品群名が外科処置である物品群を構成する、２つの物品に対応する２つの物品画像ＧＩ８，ＧＩ９が、当該ユーザにより設定された物品群区画内にて描画された画像が、出力装置１４を介して出力される。
【０１４５】
処理装置１１は、取得された複数の配置区画情報のすべてに対して、第１ループ処理（ステップＳ５０３〜ステップＳ５１４）を実行した後、ステップＳ５０１へ戻る。なお、処理装置１１は、ステップＳ５０５〜ステップＳ５１３が実行された場合、その後の第１ループ処理の実行を省略してもよい。
【０１４６】
その後、処理装置１１は、第１実施形態の物品管理装置１と同様に、ステップＳ１０５の処理を実行する。
【０１４７】
以上、説明したように、第２実施形態の物品管理装置１Ｂによれば、第１実施形態の物品管理装置１と同様の作用及び効果が奏される。
更に、第２実施形態の物品管理装置１Ｂは、少なくとも１つの物品からなる物品群を表す物品群情報を少なくとも１つ記憶する物品群情報記憶部１１１を備える。加えて、物品配置情報生成部１０８Ｂは、描画領域ＤＲにおける物品群区画を表す物品群区画情報を受け付け、当該受け付けられた物品群区画情報と、配置区画情報記憶部１０６に記憶されている複数の配置区画情報と、に基づいて、当該複数の配置区画情報がそれぞれ表す複数の配置区画の中から、当該物品群区画情報が表す物品群区画を含む配置区画を特定する。
【０１４８】
更に、物品配置情報生成部１０８Ｂは、物品群情報記憶部１１１に記憶されている少なくとも１つの物品群情報がそれぞれ表す少なくとも１つの物品群の中から、当該受け付けられた物品群区画情報に基づいて物品群を選択する。加えて、物品配置情報生成部１０８Ｂは、当該選択された物品群を構成する物品のそれぞれに対して、当該物品と、当該特定された配置区画と、が互いに関連付けられた物品配置情報を生成する。
【０１４９】
ところで、同一の物品群が複数の配置区画に配置されることが多い。従って、第２実施形態の物品管理装置１Ｂによれば、物品管理装置１Ｂのユーザが物品画像を配置区画内に配置する操作を繰り返し行うことなく、複数の物品のそれぞれと、配置区画と、が互いに関連付けられた物品配置情報を生成できる。従って、物品管理装置１Ｂのユーザが物品画像を配置区画内に配置する操作を行う手間を軽減できる。
【０１５０】
更に、第２実施形態の物品管理装置１Ｂにおいて、物品配置情報生成部１０８Ｂは、物品群の選択を、物品群区画の大きさと、物品群を構成する物品の数と、に基づいて行う。
【０１５１】
これによれば、物品群区画の大きさを調整することにより、配置区画と関連付けられる物品群を容易に選択できる。従って、物品を配置区画毎に管理するための情報を迅速に取得できる。
【０１５２】
更に、第２実施形態の物品管理装置１Ｂにおいて、配置区画情報は、配置区画の属性を表す属性情報を含む。加えて、物品配置情報生成部１０８Ｂは、物品群の選択を、特定された配置区画に対する属性情報に基づいて行う。
【０１５３】
ところで、属性が共通する複数の配置区画に、同一の物品群が配置されることが多い。従って、第２実施形態の物品管理装置１Ｂによれば、配置区画と関連付けられる物品群を適切に選択できる。この結果、物品を配置区画毎に管理するための情報を迅速に取得できる。
【０１５４】
更に、第２実施形態の物品管理装置１Ｂにおいて、物品配置情報生成部１０８Ｂは、物品群情報記憶部１１１に記憶されている複数の物品群情報がそれぞれ表す複数の物品群の中から、受け付けられた物品群区画情報に基づいて複数の物品群を抽出し、当該抽出された複数の物品群の中から１つの物品群を選択するユーザの操作に基づいて、当該選択された物品群を表す物品群選択情報を受け付ける。更に、物品配置情報生成部１０８Ｂは、当該抽出された複数の物品群の中から、当該受け付けられた物品群選択情報が表す物品群を選択する。
【０１５５】
これによれば、物品管理装置１Ｂのユーザは、複数の物品群の中から適切な物品群を容易に選択できる。
【０１５６】
＜第２実施形態の第１変形例＞
次に、第２実施形態の第１変形例の物品管理装置について説明する。第２実施形態の第１変形例の物品管理装置は、第２実施形態の物品管理装置に対して、物品群を表す特定情報を、選択頻度が多くなるほど、ユーザにより選択されやすい位置にて表示する点において相違している。以下、相違点を中心として説明する。なお、第２実施形態の第１変形例の説明において、第２実施形態にて使用した符号と同じ符号を付したものは、同一又は略同様のものである。
【０１５７】
（機能）
図３３に表されるように、第２実施形態の第１変形例の物品群情報は、第２実施形態の物品群情報に含まれる情報に加えて、選択頻度を含む。選択頻度は、物品群情報が表す物品群が選択された頻度（換言すると、回数）を表す情報である。
【０１５８】
第２実施形態の第１変形例の物品配置情報生成部１０８Ｂは、抽出された物品群が複数である場合、当該複数の物品群をそれぞれ特定する複数の特定情報を、選択頻度が多いほど、物品群区画に近くなるように、出力装置１４を介して表示する。例えば、図３４に表されるように、描画領域ＤＲにおいて、物品群区画ＦＲ１の下に、複数の特定情報が、選択頻度が多いほど、物品群区画に近くなる（本例では、選択頻度が多いほど、上方に位置する）ように並べられた選択メニューＳＭ’が描画された画像が出力装置１４を介して出力される。
【０１５９】
更に、物品配置情報生成部１０８Ｂは、表示された複数の特定情報に基づいて、当該抽出された複数の物品群の中から１つの物品群を選択する操作を物品管理装置１Ｂのユーザに行わせる。
【０１６０】
以上、説明したように、第２実施形態の第１変形例の物品管理装置１Ｂによれば、第２実施形態の物品管理装置１Ｂと同様の作用及び効果が奏される。
更に、第２実施形態の第１変形例の物品管理装置１Ｂにおいて、物品群情報は、当該物品群情報が表す物品群が選択された頻度である選択頻度を含む。加えて、物品配置情報生成部１０８Ｂは、抽出された複数の物品群をそれぞれ特定する複数の特定情報を、選択頻度が多いほど、物品群区画に近くなるように表示し、当該表示された複数の特定情報に基づいて、当該抽出された複数の物品群の中から１つの物品群を選択する操作を物品管理装置１Ｂのユーザに行わせる。
【０１６１】
これによれば、物品群を表す特定情報は、選択頻度が多くなるほど、物品管理装置１Ｂのユーザにより選択されやすい位置にて表示される。従って、物品管理装置１Ｂのユーザが適切な物品群を容易に選択できる。
【０１６２】
＜第２実施形態の第２変形例＞
次に、第２実施形態の第２変形例の物品管理装置について説明する。第２実施形態の第２変形例の物品管理装置は、第２実施形態の物品管理装置に対して、ユーザが１つの物品画像の移動先の位置を指定する操作を行うことにより、複数の物品に関連付けられた配置区画を更新できるように構成される点において相違している。以下、相違点を中心として説明する。なお、第２実施形態の第２変形例の説明において、第２実施形態にて使用した符号と同じ符号を付したものは、同一又は略同様のものである。
【０１６３】
（機能）
図３５に表されるように、第２実施形態の第２変形例の物品管理装置１Ｃの機能は、第２実施形態の物品配置情報生成部１０８Ｂに代えて物品配置情報生成部１０８Ｃを含むとともに、第２実施形態の物品配置情報記憶部１０９に代えて物品配置情報記憶部１０９Ｃを含む。
更に、第２実施形態の第２変形例の物品管理装置１Ｃの機能は、第２実施形態の物品管理装置１Ｂの機能に加えて、グループ情報処理部１１２を含む。
【０１６４】
グループ情報処理部１１２は、物品管理装置１Ｃのユーザが入力装置１３を介して物品管理装置１Ｃに入力するグループ情報を受け付ける。
グループ情報は、物品配置情報記憶部１０９Ｃに記憶されている複数の物品配置情報のうちの少なくとも一部の物品配置情報を互いに関連付ける情報である。
【０１６５】
図３６に表されるように、グループ情報は、互いに関連付けられた、グループＩＤ、及び、配置ＩＤ群を含む。グループＩＤは、グループを識別するための情報である。グループＩＤは、グループ識別情報と表されてもよい。配置ＩＤ群は、グループを構成する少なくとも１つの物品配置情報をそれぞれ識別する少なくとも１つの配置ＩＤからなる。
【０１６６】
物品配置情報記憶部１０９Ｃは、第２実施形態の物品配置情報記憶部１０９と同様の機能に加えて、以下の機能を有する。
物品配置情報記憶部１０９Ｃは、グループ情報処理部１１２によりグループ情報が受け付けられる毎に、受け付けられたグループ情報を記憶する。
【０１６７】
グループ情報処理部１１２は、物品配置情報記憶部１０９Ｃに記憶されているグループ情報の変更又は削除を受け付ける。
物品配置情報記憶部１０９Ｃは、グループ情報処理部１１２によりグループ情報の変更又は削除が受け付けられた場合、記憶されているグループ情報の変更又は削除を行う。
【０１６８】
物品配置情報生成部１０８Ｃは、第２実施形態の物品配置情報生成部１０８Ｂと同様の機能に加えて、以下の機能を有する。
物品配置情報生成部１０８Ｃは、物品管理装置１Ｃのユーザが入力装置１３を介して物品管理装置１Ｃに入力する物品配置特定情報及び位置情報を受け付ける。本例では、位置情報は、指定位置情報と表されてもよい。
【０１６９】
物品配置特定情報は、物品配置情報記憶部１０９Ｃに記憶されている複数の物品配置情報の中から、物品管理装置１Ｃのユーザにより選択された物品画像に対応する物品配置情報を特定する情報である。本例では、物品配置特定情報は、当該選択された少なくとも１つの物品画像に対応する物品配置情報に含まれる配置ＩＤを含む。
位置情報は、当該選択された少なくとも１つの物品画像の描画領域ＤＲにおける移動先の位置を表す情報である。
【０１７０】
本例では、物品配置特定情報及び位置情報は、描画領域ＤＲにおいて描画された物品画像を選択するとともに、当該選択された物品画像の描画領域ＤＲにおける移動先の位置を指定するユーザの操作（例えば、ドラッグ・アンド・ドロップと呼ばれる操作）に基づいて入力される。
【０１７１】
物品配置情報生成部１０８Ｃは、物品配置特定情報及び位置情報が受け付けられる毎に、描画領域ＤＲにおいて、当該位置情報が表す位置に対応する位置にて、当該物品配置特定情報により特定される物品配置情報に対応する物品画像、及び、当該物品配置情報と物品配置情報記憶部１０９Ｃに記憶されているグループ情報にて関連付けられた他の物品配置情報に対応する物品画像が描画された画像を出力装置１４を介して出力する。
【０１７２】
本例では、位置情報が表す位置に対応する位置は、当該物品配置特定情報により特定される物品配置情報に対応する物品画像、及び、当該物品配置情報と物品配置情報記憶部１０９Ｃに記憶されているグループ情報にて関連付けられた他の物品配置情報に対応する物品画像が並ぶ位置を有するように決定される。
【０１７３】
物品配置情報生成部１０８Ｃは、物品配置特定情報及び位置情報が受け付けられる毎に、当該位置情報と、配置区画情報記憶部１０６に記憶されている複数の配置区画情報と、に基づいて、当該複数の配置区画情報がそれぞれ表す複数の配置区画の中から、当該位置情報が表す位置を含む配置区画を特定する。
【０１７４】
更に、物品配置情報生成部１０８Ｃは、当該受け付けられた物品配置特定情報により特定される物品配置情報にて物品と関連付けられる配置区画を、当該特定された配置区画に更新する。加えて、物品配置情報生成部１０８Ｃは、当該物品配置特定情報により特定される物品配置情報が、物品配置情報記憶部１０９Ｃに記憶されているグループ情報にて他の物品配置情報と関連付けられている場合、物品配置情報記憶部１０９Ｃに記憶されている複数の物品配置情報のうちの、当該他の物品配置情報のそれぞれにて物品と関連付けられる配置区画を、当該特定された配置区画に更新する。
【０１７５】
なお、グループ情報処理部１１２は、物品配置情報生成部１０８Ｃが物品群区画情報に基づいて複数の物品配置情報を生成した場合、当該生成された複数の物品配置情報を互いに関連付けるグループ情報を受け付けてよい。
【０１７６】
（動作）
次に、第２実施形態の第２変形例の物品管理装置１Ｃの動作について、図３６乃至図４２を参照しながら説明する。
本例では、処理装置１１は、物品配置処理において、図１１に表される処理、及び、図２９に表される処理に加えて、図３７に表される処理を実行する。先ず、処理装置１１は、物品配置特定情報を受け付けるまで待機する（ステップＳ６０１の「Ｎｏ」ルート）。
【０１７７】
物品管理装置１Ｃのユーザにより物品配置特定情報が入力された場合、処理装置１１は、当該物品配置特定情報を受け付け、ステップＳ６０１にて「Ｙｅｓ」と判定し、指定位置情報を受け付けるまで待機する（ステップＳ６０２の「Ｎｏ」ルート）。
物品管理装置１Ｃのユーザにより指定位置情報が入力された場合、処理装置１１は、当該指定位置情報を受け付け、ステップＳ６０３へ進む。
【０１７８】
例えば、図３８に表されるように、描画領域ＤＲにおいて、配置区画ＲＩ１内に２つの物品画像ＧＩ１１，ＧＩ１２が描画されている場合を想定する。この場合、図３９に表されるように、物品配置情報記憶部１０９Ｃは、配置ＩＤがそれぞれＡ０１及びＡ０２である２つの物品配置情報を記憶する。加えて、例えば、図３６に表されるように、物品配置情報記憶部１０９Ｃは、配置ＩＤ群がＡ０１及びＡ０２からなる２つの配置ＩＤを含むグループ情報を記憶する。更に、例えば、図４０の矢印ＡＲ４により表されるように、物品画像ＧＩ１２を描画領域ＤＲにおいて移動させるユーザの操作に基づいて、物品配置特定情報及び指定位置情報が入力される。
【０１７９】
処理装置１１は、ステップＳ６０３へ進んだ場合、記憶装置１２に記憶されている複数の配置区画情報（換言すると、配置区画情報群）を取得する（ステップＳ６０３）。
次いで、処理装置１１は、取得された複数の配置区画情報のそれぞれを１つずつ順に処理対象として用いる第１ループ処理（ステップＳ６０４〜ステップＳ６１１）を実行する。
【０１８０】
第１ループ処理において、処理装置１１は、ステップＳ６０２にて受け付けられた指定位置情報が表す位置（換言すると、指定位置）が、処理対象の配置区画情報が表す配置区画に含まれるか否かを判定する（ステップＳ６０５）。当該指定位置が当該配置区画に含まれる場合、処理装置１１は、ステップＳ６０５にて「Ｙｅｓ」と判定し、ステップＳ６０６へ進む。
一方、当該指定位置が当該配置区画に含まれない場合、処理装置１１は、ステップＳ６０５にて「Ｎｏ」と判定し、ステップＳ６０６へ進むことなく、ステップＳ６１１へ進む。
【０１８１】
処理装置１１は、ステップＳ６０６へ進んだ場合、ステップＳ６０１にて受け付けられた物品配置特定情報により特定される物品配置情報と、記憶装置１２に記憶されているグループ情報にて関連付けられた物品配置情報群を取得する（ステップＳ６０６）。
本例では、物品配置特定情報により特定される物品配置情報と、記憶装置１２に記憶されているグループ情報にて関連付けられた物品配置情報群は、記憶装置１２に記憶されている複数の物品配置情報のうちの、記憶装置１２に記憶されているグループ情報にて当該物品配置特定情報に含まれる配置ＩＤを含む配置ＩＤ群を構成する複数の配置ＩＤをそれぞれ含む複数の物品配置情報である。
【０１８２】
次いで、処理装置１１は、ステップＳ６０６にて取得された物品配置情報群を構成する複数の物品配置情報のそれぞれを１つずつ順に処理対象として用いる第２ループ処理（ステップＳ６０７〜ステップＳ６１０）を実行する。
【０１８３】
第２ループ処理において、処理装置１１は、処理対象の物品配置情報に含まれる物品位置を、ステップＳ６０２にて受け付けられた指定位置情報が表す位置に対応する位置に更新するとともに、処理対象の物品配置情報に含まれる配置区画ＩＤを、処理対象の配置区画情報に含まれる配置区画ＩＤに更新することにより、当該物品配置情報を更新する（ステップＳ６０８）。
【０１８４】
次いで、処理装置１１は、描画領域ＤＲにおいて、ステップＳ６０２にて受け付けられた指定位置情報が表す位置に対応する位置にて、処理対象の物品配置情報に含まれる物品ＩＤと、記憶装置１２に記憶されている物品情報にて関連付けられた物品画像が描画された画像を出力装置１４を介して出力する（ステップＳ６０９）。
【０１８５】
そして、処理装置１１は、ステップＳ６０６にて取得された物品配置情報群を構成する複数の物品配置情報のすべてに対して、第２ループ処理（ステップＳ６０７〜ステップＳ６１０）を実行した後、ステップＳ６１１へ進む。これにより、例えば、図４１に表されるように、配置区画ＲＩ３内に２つの物品画像ＧＩ１１’，ＧＩ１２’が描画された画像が、出力装置１４を介して出力される。更に、例えば、図４２に表されるように、物品配置情報記憶部１０９Ｃに記憶されている、配置ＩＤがそれぞれＡ０１及びＡ０２である２つの物品配置情報を更新される。
【０１８６】
処理装置１１は、取得された複数の配置区画情報のすべてに対して、第１ループ処理（ステップＳ６０４〜ステップＳ６１１）を実行した後、ステップＳ６０１へ戻る。なお、処理装置１１は、ステップＳ６０５〜ステップＳ６１０が実行された場合、その後の第１ループ処理の実行を省略してもよい。
【０１８７】
また、処理装置１１は、図３７のステップＳ６０５にて「Ｎｏ」と判定された場合、ステップＳ６０１にて受け付けられた物品配置特定情報により特定される物品配置情報と、記憶装置１２に記憶されているグループ情報にて関連付けられた物品配置情報群を構成する複数の物品配置情報のそれぞれに対して、当該物品配置情報に含まれる配置区画ＩＤを、規定値としての配置区画ＩＤに更新してもよい。
【０１８８】
以上、説明したように、第２実施形態の第２変形例の物品管理装置１Ｃによれば、第２実施形態の物品管理装置１Ｂと同様の作用及び効果が奏される。
更に、第２実施形態の第２変形例の物品管理装置１Ｃは、物品配置情報生成部１０８Ｃにより生成された複数の物品配置情報を記憶するとともに、当該記憶されている複数の物品配置情報のうちの少なくとも一部の物品配置情報を互いに関連付けるグループ情報を少なくとも１つ記憶する物品配置情報記憶部１０９Ｃを備える。
【０１８９】
更に、物品配置情報生成部１０８Ｃは、描画領域ＤＲにて描画された物品画像を選択するとともに、当該選択された物品画像の描画領域ＤＲにおける移動先の位置を指定するユーザの操作に基づいて、物品配置情報記憶部１０９Ｃに記憶されている複数の物品配置情報の中から、当該物品画像に対応する物品配置情報を特定する特定情報と、当該指定された位置を表す位置情報と、を受け付ける。
【０１９０】
加えて、物品配置情報生成部１０８Ｃは、当該受け付けられた位置情報と、配置区画情報記憶部１０６に記憶されている複数の配置区画情報と、に基づいて、当該複数の配置区画情報がそれぞれ表す複数の配置区画の中から、当該位置情報が表す位置を含む配置区画を特定する。更に、物品配置情報生成部１０８Ｃは、当該受け付けられた特定情報により特定される物品配置情報が、当該記憶されているグループ情報にて他の物品配置情報と関連付けられている場合、当該記憶されている複数の物品配置情報のうちの、当該他の物品配置情報のそれぞれにて物品と関連付けられる配置区画を、当該特定された配置区画に更新する。
【０１９１】
これによれば、物品管理装置１Ｃのユーザが１つの物品画像の移動先の位置を指定する操作を行うことにより、複数の物品に関連付けられた配置区画を更新できる。この結果、物品を配置区画毎に管理するための情報を迅速に取得できる。
【０１９２】
なお、本発明は、上述した実施形態に限定されない。例えば、上述した実施形態に、本発明の趣旨を逸脱しない範囲内において当業者が理解し得る様々な変更が加えられてよい。
【符号の説明】
【０１９３】
１，１Ａ，１Ｂ，１Ｃ  物品管理装置
１１    処理装置
１２    記憶装置
１３    入力装置
１４    出力装置
１０１  物品情報処理部
１０２  物品情報記憶部
１０３  背景画像処理部
１０４  背景画像記憶部
１０５，１０５Ａ  配置区画情報処理部
１０６  配置区画情報記憶部
１０７，１０７Ａ  物品位置情報処理部
１０８，１０８Ｂ，１０８Ｃ  物品配置情報生成部
１０９，１０９Ｃ  物品配置情報記憶部
１１０  物品群情報処理部
１１１  物品群情報記憶部
１１２  グループ情報処理部
ＢＵ    バス
ＢＧ    背景画像
ＤＲ    描画領域
ＦＲ１  物品群区画
ＧＩ１〜ＧＩ９，ＧＩ１１，ＧＩ１２  物品画像
ＲＩ１〜ＲＩ３  配置区画
ＳＭ    選択メニュー
【図１】
2020080009.tif 000003
【図２】
2020080009.tif 000004
【図３】
2020080009.tif 000005
【図４】
2020080009.tif 000006
【図５】
2020080009.tif 000007
【図６】
2020080009.tif 000008
【図７】
2020080009.tif 000009
【図８】
2020080009.tif 000010
【図９】
2020080009.tif 000011
【図１０】
2020080009.tif 000012
【図１１】
2020080009.tif 000013
【図１２】
2020080009.tif 000014
【図１３】
2020080009.tif 000015
【図１４】
2020080009.tif 000016
【図１５】
2020080009.tif 000017
【図１６】
2020080009.tif 000018
【図１７】
2020080009.tif 000019
【図１８】
2020080009.tif 000020
【図１９】
2020080009.tif 000021
【図２０】
2020080009.tif 000022
【図２１】
2020080009.tif 000023
【図２２】
2020080009.tif 000024
【図２３】
2020080009.tif 000025
【図２４】
2020080009.tif 000026
【図２５】
2020080009.tif 000027
【図２６】
2020080009.tif 000028
【図２７】
2020080009.tif 000029
【図２８】
2020080009.tif 000030
【図２９】
2020080009.tif 000031
【図３０】
2020080009.tif 000032
【図３１】
2020080009.tif 000033
【図３２】
2020080009.tif 000034
【図３３】
2020080009.tif 000035
【図３４】
2020080009.tif 000036
【図３５】
2020080009.tif 000037
【図３６】
2020080009.tif 000038
【図３７】
2020080009.tif 000039
【図３８】
2020080009.tif 000040
【図３９】
2020080009.tif 000041
【図４０】
2020080009.tif 000042
【図４１】
2020080009.tif 000043
【図４２】
2020080009.tif 000044
【手続補正書】
【提出日】平成31年2月6日(2019.2.6)
【手続補正１】
【補正対象書類名】特許請求の範囲
【補正対象項目名】全文
【補正方法】変更
【補正の内容】
【特許請求の範囲】
【請求項１】
描画領域における複数の配置区画をそれぞれ表す複数の配置区画情報を受け付け、前記受け付けられた複数の配置区画情報がそれぞれ表す複数の配置区画を前記描画領域において描画する配置区画情報処理部と、
物品を表す物品画像を前記描画領域内に配置するユーザの操作に基づいて、前記描画領域における前記物品の位置を表す物品位置情報を受け付け、前記描画領域において、前記受け付けられた物品位置情報が表す位置にて前記物品画像を描画する物品位置情報処理部と、
前記受け付けられた物品位置情報と、前記受け付けられた複数の配置区画情報と、に基づいて、前記複数の配置区画情報がそれぞれ表す複数の配置区画の中から、前記物品位置情報が表す物品の位置を含む配置区画を特定し、前記特定された配置区画と、前記物品と、が互いに関連付けられた物品配置情報を生成する物品配置情報生成部と、
少なくとも１つの物品からなる物品群を表す物品群情報を複数記憶する物品群情報記憶部と、
を備え、
前記物品配置情報生成部は、
前記描画領域における物品群区画を表す物品群区画情報を受け付け、
前記受け付けられた物品群区画情報と、前記複数の配置区画情報と、に基づいて、前記複数の配置区画情報がそれぞれ表す複数の配置区画の中から、前記物品群区画情報が表す物品群区画を含む配置区画を特定するとともに、前記記憶されている複数の物品群情報がそれぞれ表す複数の物品群の中から、前記受け付けられた物品群区画情報に基づいて複数の物品群を抽出し、
前記抽出された複数の物品群の中から１つの物品群を選択するユーザの操作に基づいて、前記選択された物品群を表す物品群選択情報を受け付け、
前記抽出された複数の物品群の中から、前記受け付けられた物品群選択情報が表す物品群を選択し、前記選択された物品群を構成する物品のそれぞれに対して、当該物品と、前記特定された配置区画と、が互いに関連付けられた物品配置情報を生成する、物品管理装置。
【請求項２】
請求項１に記載の物品管理装置であって、
前記物品配置情報生成部は、前記物品群の選択を、前記物品群区画の大きさと、前記物品群を構成する物品の数と、に基づいて行う、物品管理装置。
【請求項３】
請求項１又は請求項２に記載の物品管理装置であって、
前記配置区画情報は、配置区画の属性を表す属性情報を含み、
前記物品配置情報生成部は、前記物品群の選択を、前記特定された配置区画に対する前記属性情報に基づいて行う、物品管理装置。
【請求項４】
請求項１乃至請求項３のいずれか一項に記載の物品管理装置であって、
前記物品群情報は、当該物品群情報が表す物品群が選択された頻度である選択頻度を含み、
前記物品配置情報生成部は、
前記抽出された複数の物品群をそれぞれ特定する複数の特定情報を、前記選択頻度が多いほど、前記物品群区画に近くなるように表示し、
前記表示された複数の特定情報に基づいて、前記操作を前記ユーザに行わせる、物品管理装置。
【請求項５】
請求項１乃至請求項４のいずれか一項に記載の物品管理装置であって、
前記物品配置情報生成部は、
前記描画された少なくとも１つの物品画像を選択するとともに、前記選択された少なくとも１つの物品画像の前記描画領域における配置先の位置を指定するユーザの操作に基づいて、前記選択された少なくとも１つの物品画像がそれぞれ表す少なくとも１つの物品を表す物品選択情報と、前記指定された位置を表す位置情報と、を受け付け、
前記受け付けられた位置情報と、前記受け付けられた複数の配置区画情報と、に基づいて、前記複数の配置区画情報がそれぞれ表す複数の配置区画の中から、前記位置情報が表す位置を含む配置区画を特定し、
前記受け付けられた物品選択情報が表す少なくとも１つの物品のそれぞれに対して、当該物品と、前記特定された配置区画と、が互いに関連付けられた物品配置情報を生成する、物品管理装置。
【請求項６】
請求項１乃至請求項５のいずれか一項に記載の物品管理装置であって、
前記配置区画情報処理部は、
前記描画された配置区画を選択するとともに、前記選択された配置区画の前記描画領域における移動先の位置を指定するユーザの操作に基づいて、前記受け付けられた複数の配置区画情報がそれぞれ表す複数の配置区画の中から、当該選択された配置区画を特定する特定情報と、前記指定された位置を表す位置情報と、を受け付け、
前記物品位置情報処理部は、
前記受け付けられた特定情報により特定される配置区画と、前記生成された物品配置情報にて関連付けられた少なくとも１つの物品のそれぞれに対して、前記描画領域において、前記受け付けられた位置情報が表す位置に対応する位置にて当該物品を表す物品画像を描画する、物品管理装置。
【請求項７】
請求項１乃至請求項６のいずれか一項に記載の物品管理装置であって、
前記生成された複数の物品配置情報を記憶するとともに、前記記憶されている複数の物品配置情報のうちの少なくとも一部の物品配置情報を互いに関連付けるグループ情報を少なくとも１つ記憶する物品配置情報記憶部を備え、
前記物品配置情報生成部は、
前記描画された物品画像を選択するとともに、前記選択された物品画像の前記描画領域における移動先の位置を指定するユーザの操作に基づいて、前記記憶されている複数の物品配置情報の中から、当該物品画像に対応する物品配置情報を特定する特定情報と、前記指定された位置を表す位置情報と、を受け付け、
前記受け付けられた位置情報と、前記受け付けられた複数の配置区画情報と、に基づいて、前記複数の配置区画情報がそれぞれ表す複数の配置区画の中から、前記位置情報が表す位置を含む配置区画を特定し、
前記受け付けられた特定情報により特定される物品配置情報が、前記記憶されているグループ情報にて他の物品配置情報と関連付けられている場合、前記記憶されている複数の物品配置情報のうちの、当該他の物品配置情報のそれぞれにて物品と関連付けられる配置区画を、前記特定された配置区画に更新する、物品管理装置。
【請求項８】
コンピュータに、
描画領域における複数の配置区画をそれぞれ表す複数の配置区画情報を受け付け、前記受け付けられた複数の配置区画情報がそれぞれ表す複数の配置区画を前記描画領域において描画し、
物品を表す物品画像を前記描画領域内に配置するユーザの操作に基づいて、前記描画領域における前記物品の位置を表す物品位置情報を受け付け、前記描画領域において、前記受け付けられた物品位置情報が表す位置にて前記物品画像を描画し、
前記受け付けられた物品位置情報と、前記受け付けられた複数の配置区画情報と、に基づいて、前記複数の配置区画情報がそれぞれ表す複数の配置区画の中から、前記物品位置情報が表す物品の位置を含む配置区画を特定し、前記特定された配置区画と、前記物品と、が互いに関連付けられた物品配置情報を生成し、
少なくとも１つの物品からなる物品群を表す物品群情報を記憶装置に複数記憶させ、
前記描画領域における物品群区画を表す物品群区画情報を受け付け、
前記受け付けられた物品群区画情報と、前記複数の配置区画情報と、に基づいて、前記複数の配置区画情報がそれぞれ表す複数の配置区画の中から、前記物品群区画情報が表す物品群区画を含む配置区画を特定するとともに、前記記憶されている複数の物品群情報がそれぞれ表す複数の物品群の中から、前記受け付けられた物品群区画情報に基づいて複数の物品群を抽出し、
前記抽出された複数の物品群の中から１つの物品群を選択するユーザの操作に基づいて、前記選択された物品群を表す物品群選択情報を受け付け、
前記抽出された複数の物品群の中から、前記受け付けられた物品群選択情報が表す物品群を選択し、前記選択された物品群を構成する物品のそれぞれに対して、当該物品と、前記特定された配置区画と、が互いに関連付けられた物品配置情報を生成する、
処理を実行させる物品管理プログラム。